(57)【要約】      （修正有）【課題】効率、風圧を向上し、騒音を低減した電子機器冷却用の遠心ファンを提供する。【解決手段】遠心ファンをハブ１１の外周に羽根体１３１を具えた第一環状体１１２とこれに相対して結合される、羽根体１４１を具えた第二環状体１２とから構成する。ハブは間隔を空けて延長部１１１により第一環状体に結合され、該第一環状体の両面の第一側１１２１及び第二側１１２２のうち、該第一側に複数の羽根体からなる第一羽根体ユニット１３１を設置し、該第二環状体には、その両面の第三側１２１及び第四側１２２のうち、第一環状体と結合しない該第三側に複数の羽根体からなる第二羽根体ユニット１４１を備え、第四側と第二側が対応して接合してファンを構成する。【選択図】図１
0003172856.tif 000002
【実用新案登録請求の範囲】
【請求項１】
遠心ファンを、
中心のハブから外周方向に延長した延長部により接続された第一環状体を設け、その両面を構成する第一側と第二側のうち第二環状体と結合されない第一側に複数の第一羽根体からなる第一羽根ユニットを設置し、
該第一環状体に相対して結合される第二環状体の両面を構成する第三側と第四側のうち第一環状体に接合しない第三側に複数の第二羽根体からなる第二羽根体ユニットを設置して、
これら第一及び第二環状体の羽根体を設置しない第二側と第四側とを相対して結合して構成したことを特徴とする、
遠心ファン構造。
【請求項２】
前記複数の第一羽根体は、中心側端部を第一端及び外周方向端部を第二端とし、前記複数の第二羽根体は、中心側端部を第三端及び外周方向端部を第四端として、該複数の第一羽根体間に気流の流通する第一流道を形成し、該複数の第二羽根体間には気流の流通する第二流道を形成したことを特徴とする請求項１記載の遠心ファン構造。
【請求項３】
前記第一羽根体ユニットは、該第一環状体の外周方向に伸びる長さが、該第二羽根体ユニットが該第二環状体の外周方向に伸びる長さよりも短いことを特徴とする請求項１記載の遠心ファン構造。
【請求項４】
前記複数の第一、二羽根体の数は、同じか又は異なることを特徴とする請求項１記載の遠心ファン構造。
【請求項５】
前記第一羽根体の第二端の幅は、該第二羽根体の第四端の幅より大きいことを特徴とする請求項２記載の遠心ファン構造。
【請求項６】
前記第二羽根体の第四端の幅は、該第一羽根体の第二端の幅より大きいことを特徴とする請求項２記載の遠心ファン構造。
【請求項７】
前記複数の第一羽根体の中心側端部の第一端及び外周側端部の第二端、及び該複数の第二羽根体の中心側端部の第三端及び外周側端部の第四端との位置関係において、
該第一羽根体の第一端は該第二羽根体の第三端と相対せずに周方向にずらして設置し、
該複数の第一羽根体間に第一流道を形成し、該複数の第二羽根体間には第二流道を形成して、該第一流道の気流を導入する第一流入端及びその排出する第一流出端、該第二流道の気流を導入する第二流入端及びその排出する第二流出端との間で、該第一流入端と該第二流入端は対応せず、周方向にずらして配置したことを特徴とする請求項１記載の遠心ファン構造。
【請求項８】
前記複数の第一羽根体の中心側端部の第一端及び外周側端部の第二端、及び該複数の第二羽根体の中心側端部の第三端及び外周側端部の第四端との位置関係において、
該第一羽根体の第一端は該第二羽根体の第三端と相対せずに周方向にずらして設置し、
該複数の第一羽根体間に第一流道を形成し、該複数の第二羽根体間には第二流道を形成して、該第一流道の気流を導入する第一流入端及びその排出する第一流出端、該第二流道の気流を導入する第二流入端及びその排出する第二流出端との間で、該第一流入端と該第二流入端は相対応する位置に配置したことを特徴とする請求項１記載の遠心ファン構造。
【請求項９】
前記第一環状体の第二環状体に相対する第二側に接続部を具え、該接続部は周方向に配置された第一接続凹孔ユニット及び第二接続凹孔ユニットからなり、
該第二環状体の第一環状体に相対する第四側にはこれらに嵌合する複数の凸体を備え、該複数の凸体は前述第一接続凹孔ユニット及び該第二接続凹孔ユニットのどちらかを選択して嵌合することを特徴とする請求項１記載の遠心ファン構造。
【考案の詳細な説明】
【技術分野】
【０００１】
本考案は、電子機器冷却用の遠心ファン構造に関するもので、特に二層羽根によってファンの導流増圧効果を高め、騒音を減らす遠心ファン羽根構造に係わる。
【背景技術】
【０００２】
現在、電子産業は極めて速やかに発展を遂げており、電子部品の性能もどんどん向上しているが、演算速度が速くなればなるほど、それに拠って発生する熱量も大きくなっている。仮に熱量を即座に排出することが出来なければ、該電子部品の運算機能は低下し、場合によっては焼損してしまう。そのため、限られた空間内に小型の遠心ファンを用いて放熱する。該遠心ファンは主に筐体、ファンハブ、及び該ファンハブ外部に環設する複数の羽根体からなる。該筐体の上方及び下方にはそれぞれ空気吸込口を備え、その側辺には排気口を備える。運転時、該複数の羽根体を回転して周囲の空気を流動させ、空気吸込口から進入した軸方向の気流を該ファンハブに沿って放射状の気流へ変えた後、排気口から排出する。
【０００３】
現階段に於いて、当該業者は主に該羽根体の形状を変更することで、比較的大きな風圧及び風量向上を達成している。但し、羽根体形状を変更する効果は有限であり、使用者の要求を達成することができず、且つ筐体が狭いため、該羽根体の構造形状を変更することは制限を受ける。
【先行技術文献】
【特許文献】
【０００４】
【特許文献１】特表２００９−５１１６６１号公報
【考案の概要】
【考案が解決しようとする課題】
【０００５】
解決しようとする問題点は、構造設計に制限があり、増圧効果に限界があり、導流効率が悪い点である。
【課題を解決するための手段】
【０００６】
本考案は、ハブ及び第二環状体を具える。該ハブは延長部を備え、その末端には第一環状体を備える。該第一環状体は第一側及び第二側を備え、該第一側に第一羽根体ユニットを設置する。該第二環状体は、第三側及び第四側を備え、該第三側は第二羽根体ユニットを備え、該第四側と前述第二側が対応して接合することで、ファン全体の流入の増圧効果を大幅に高め、騒音を減らすことを最も主要な特徴とする。
【考案の効果】
【０００７】
本考案の遠心ファン構造は、導流効率が良く、増圧効果を備え、騒音を減らすと言う利点がある。他にカスタマイズに拠って、第一、二羽根体ユニットの対応傾角を調整できる。
【図面の簡単な説明】
【０００８】
【図１】本考案の遠心ファン構造の第一実施例の立体分解図である。
【図２】本考案の遠心ファン構造の第一実施例の組立図である。
【図３】本考案の遠心ファン構造の第二実施例の仰視図である。
【図４】本考案の遠心ファン構造の第三実施例の仰視図である。
【図５】本考案の遠心ファン構造の第四実施例の側面図である。
【図６】本考案の遠心ファン構造の第五実施例の側面図である。
【図７】本考案の遠心ファン構造の第六実施例の仰視図である。
【図８】本考案の遠心ファン構造の第七実施例の俯瞰図である。
【図９】本考案の遠心ファン構造の第八実施例の立体分解図である。
【考案を実施するための形態】
【０００９】
上述の公知技術の欠点を改善するため、双方向流入増圧効果を備えた遠心ファン構造を提供することを本考案の主な目的とする。
【００１０】
組立方式で遠心ファン羽根角度を変更する遠心ファン構造を提供することを本考案の次の目的とする。
【００１１】
上述の目的を達成するため、本考案は遠心ファン構造を提供し、それはハブ、第二環状体を含む。
【００１２】
該ハブは、延長部を備え、該延長部末端は第一環状体を備え、該第一環状体は第一側及び第二側を備える。該第一側は第一羽根体ユニットを設置し、該第一羽根体ユニットは複数の第一羽根体を備える。
【００１３】
該第二環状体は、第三側及び第四側を備え、該第三側は第二羽根体ユニットを設置し、該第二羽根体ユニットは複数の第二羽根体を備え、該第四側と前述第二側対応して接合する。
【００１４】
前述の第一、二羽根体ユニットの双方向増圧構造によって、遠心ファン全体の導流効率を高め、同時に増圧及び騒音を減らす効果を兼備する。
【実施例１】
【００１５】
本考案の上述目的及びその構造と機能上の特性を図式と共に、良好な実施例を挙げて説明する。
【００１６】
図１、２は、本考案の遠心ファン構造の第一実施例の立体分解及び組立図である。図に示すとおり、該遠心ファン構造１はハブ１１、第二環状体１２を具える。
【００１７】
該ハブ１１は、延長部１１１を備え、該延長部１１１末端は第一環状体１１２を備え、該第一環状体１１２は第一側１１２１及び第二側１１２２を備える。該第一側１１２１は第一羽根体ユニット１３を設置し、該第一羽根体ユニット１３は複数の第一羽根体１３１を備える。
【００１８】
該第二環状体１２は、第三側１２１及び第四側１２２を備え、該第三側１２１は第二羽根体ユニット１４を設置し、該第二羽根体ユニット１４は複数の第二羽根体１４１を備え、該第四側１２２と前述第二側１１２２は、相対して接合する。
【００１９】
該複数の第一羽根体１３１は、更に第一端１３１１及び第二端１３１２を備え、該複数の第二羽根体１４１は更に第三端１４１１及び第四端１４１２を備える。該複数の第一羽根体１３１間は第一流道１３１３を備え、該複数の第二羽根体１４１間は第二流道１４１３を備える。
【実施例２】
【００２０】
図３に示すのは、本考案の遠心ファン構造の第二実施例の仰視図である。図に示すとおり、本実施例の部分構造は前述第一実施例と同じであるため、ここでは重複して説明しない。
本実施例と前述の第一実施例との異なる箇所は、該第一羽根体ユニット１３が該第一環状体１１２から外周方向へ伸びる長さが該第二羽根体ユニット１４が該第二環状体１２から外周方向へ伸びる長さより短いことである。
【実施例３】
【００２１】
図４は、本考案の遠心ファン構造の第三実施例の仰視図である。図に示すとおり、本実施例の部分構造は前述第一実施例と同じあるため、ここでは重複して説明しない。本実施例と前述第一実施例の異なる箇所は、該複数の第一羽根体１３１の数と該複数の第二羽根体１４１の数が異なり、本実施例では該第一羽根体１３１の数が該複数の第二羽根体１４１の数より少ないという例で説明しているが、これに制限されない。
【実施例４】
【００２２】
図５は、本考案の遠心ファン構造の第四実施例の側面図である。図に示すとおり、本実施例の部分構造は前述第一実施例と同じであるため、ここでは重複して説明しない。本実施例と前述第一実施例の異なる箇所は、該第一羽根体１３１の第二端１３１２の幅は該第二羽根体１４１の第四端１４１２の幅より小さいことである。
【実施例５】
【００２３】
図６は、本考案の遠心ファンの羽根構造の第五実施例の側面図である。図に示すとおり、本実施例の部分構造は前述第一実施例と同じであるため、ここでは重複して説明しない。本実施例と前述第一実施例の異なる箇所は。該第二羽根体１４１の第四端１４１２の幅が該第一羽根体１３１の第二端１３１２の幅より小さいことである。
【実施例６】
【００２４】
図７は、本考案の遠心ファンの羽根構造の第六実施例の仰視図である。図に示すとおり、本実施例の部分構造は前述第一実施例と同じであるため、ここでは重複して説明しない。本実施例と前述第一実施例の異なる箇所は該第一羽根体１３１の第一端１３１１が該第二羽根体１４１の第三端１４１１と相対せずに周方向にずらして設置され、該複数の第一羽根体１３１間は気流の流路となる第一流道１３１３を形成し、該複数の第二羽根体１４１間は気流の流路となる第二流道１４１３を形成する。該第一流道１３１３は、第一流入端１３１３ａ及び第一流出端１３１３ｂを備え、該第二流道１４１３は第二流入端１４１３ａ及び第二流出端１４１３ｂを備え、該第一流入端１３１３ａと該第二流入端１４１３ａは相対せず、ずらして設置する。
【実施例７】
【００２５】
図８に示すのは、本考案の遠心ファンの羽根構造の第七実施例の俯瞰図である。図に示すとおり、本実施例の部分構造は前述第一実施例と同じであるため、ここでは重複して説明しない。本実施例と前述第一実施例の異なる箇所は、該第一羽根体１３１の第一端１３１１が該第二羽根体１４１の第三端１４１１と相対して設置され、該第一流道１３１３は第一流入端１３１３ａ及び第一流出端１３１３ｂを備え、該第二流道１４１３は第二流入端１４１３ａ及び第二流出端１４１３ｂを備え、該第一流入端１３１３ａと該第二流入端１４１３ａは相対した位置に設置する。
【実施例８】
【００２６】
図９は本考案の遠心ファンの羽根構造の第八実施例の立体分解図である。図に示すとおり、本実施例の部分構造は前述第一実施例と同じであるため、ここでは重複して説明しない。本実施例と前述第一実施例の異なる箇所は、該第一環状体１１２の第二側１１２１が接続部１１２３を備え、該接続部１１２３は第一接続凹孔ユニット１１２３ａ及び第二接続凹孔ユニット１１２３ｂを備え、該第二環状体１２の第四側１２２はこれらに相対して複数の凸体１２２１を備え、該複数の凸体１２２１は前述第一接続凹孔ユニット１１２３ａ及び該第二接続凹孔ユニット１１２３ｂのうちのどちらかを選択して対応嵌合する。
【００２７】
前述接続部１１２３及び凸体１２２１の設置によって、該第一羽根体１３１の第一端１３１１と該第二羽根体１４１の第三端１４１１が対応設置するか（例として図８参照）、もしくは相対した位置から周方向にずらして設置し（図７参照）、或いは即座に結合したり、変更したりできる。
【符号の説明】
【００２８】
１        遠心ファン構造
１１        ハブ
１１１        延長部
１１２        第一環状体
１１２１        第一側
１１２２        第二側
１１２３        接続部
１１２３ａ      第一接続凹孔ユニット
１１２３ｂ      第二接続凹孔ユニット
１２        第二環状体
１２１        第三側
１２２        第四側
１２２１        凸体
１３        第一羽根体ユニット
１３１        第一羽根体
１３１１        第一端
１３１２        第二端
１３１３        第一流道
１３１３ａ      第一流入端
１３１３ｂ      第一流出端
１４        第二羽根体ユニット
１４１        第二羽根体
１４１１        第三端
１４１２        第四端
１４１３        第二流道
１４１３ａ      第二流入端
１４１３ｂ      第二流出端
【図１】
0003172856.tif 000003
【図２】
0003172856.tif 000004
【図３】
0003172856.tif 000005
【図４】
0003172856.tif 000006
【図５】
0003172856.tif 000007
【図６】
0003172856.tif 000008
【図７】
0003172856.tif 000009
【図８】
0003172856.tif 000010
【図９】
0003172856.tif 000011